(57)【要約】  【課題】輸送の効率を改善でき、且つ便利に組成と解体ができる収容箱組み立てキットの提供を目的とする。【解決手段】背板エリア１５と、背板エリア１５が有する互いに平行する２つの側縁１５１にそれぞれ接すると共に、対応の側縁１５１から所定の長さで延伸して背板エリア１５から離れた端部に先端縁１４１をそれぞれ有する２つの側壁エリア１４と、２つの側壁エリア１４それぞれの先端縁１４１にそれぞれ接すると共に、対応の先端縁１４１から延伸する２つの前壁エリア１６とを有する本体ユニット１と、四角形の底板エリア２２と、底板エリア２２が有する互いに平行する一対の第２の対辺２２２にそれぞれ接すると共に、対応する第２の対辺２２２から延伸する一対の連結エリア２１とを有する底板ユニット２と、を備える収容箱組み立てキットを提供する。【選択図】図１
0003196630.tif 000002
【実用新案登録請求の範囲】
【請求項１】
所定の横幅で間を空けて互いに離間する２つの側縁と、前記２つの側縁の同じ側にある端部を繋ぐ底縁とを有する背板エリアと、
前記背板エリアの前記２つの側縁にそれぞれ接すると共に、対応の前記側縁から所定の長さで延伸して前記背板エリアから離れた端部に先端縁をそれぞれ有する２つの側壁エリアと、
前記２つの側壁エリアそれぞれの前記先端縁にそれぞれ接すると共に、対応の前記先端縁から延伸する２つの前壁エリアとを有する本体ユニットと、
一対の第１の対辺と、一対の第２の対辺とにより囲まれて四角形になっている底板エリアと、
前記底板エリアの前記一対の第２の対辺にそれぞれ接すると共に、対応する前記第２の対辺から延伸するそれぞれの長さが、前記背板エリアが有する前記２つの側縁の長さよりも短くなっている一対の連結エリアとを有する底板ユニットと、を備え、
前記２つの側壁エリアがそれぞれ前記第２の対辺が互いに成す角度に応じて折り畳まれ、
前記２つの前壁エリアが互いに重なるように貼り合わされ、
且つ前記底板エリアと前記一対の連結エリアがそれぞれ前記２つの側縁と前記底縁が形成する角度に応じて折り畳まれる上で前記２つの側壁エリアにそれぞれ貼り合わされることにより、
前記背板エリアと前記２つの側壁エリアと前記２つの前壁エリアと前記底板エリアとにより囲まれて収容空間が画成されるように組み立てられることができる収容箱組み立てキット。
【請求項２】
前記２つの前壁エリアを貼り合わせることができる両面テープを更に備えることを特徴とする請求項１に記載の収容箱組み立てキット。
【請求項３】
前記２つの前壁エリアを貼り合わせることができる磁石手段を更に備えることを特徴とする請求項１に記載の収容箱組み立てキット。
【請求項４】
前記２つの前壁エリアを貼り合わせることができる面ファスナーを更に備えることを特徴とする請求項１に記載の収容箱組み立てキット。
【請求項５】
前記本体ユニットは、表面と裏面とを有する中芯紙材と、前記中芯紙材の前記表面に積層される表面紙材と、前記中芯紙材の前記裏面に積層される裏面紙材と、により作成されており、前記底板ユニットは、板紙により作成されていることを特徴とする請求項１〜請求項４のいずれか一項に記載の収容箱組み立てキット。
【考案の詳細な説明】
【技術分野】
【０００１】
本考案は収容箱に関し、特に、収容箱の組み立てキットに関する。
【背景技術】
【０００２】
従来の収容箱は、背壁部と、前記背壁部の両端縁からそれぞれ延伸する二つの側壁部と、両端が該二つの側壁部それぞれの前記背壁部から離れた端縁に接する端壁部とで収容空間を囲みながら、前記収容空間内に収容される物を底板で支持するように構成されている。
【０００３】
しかし、このような従来の収容箱は、収容空間を囲むように構成された状態であるため輸送において占めるスペースが大きく、輸送効率が低い問題点がある。
【考案の概要】
【考案が解決しようとする課題】
【０００４】
上記問題点に鑑みて、本考案は輸送の効率を改善できる収容箱組み立てキットの提供を目的とする。
【課題を解決するための手段】
【０００５】
上記目的を達成すべく、本考案は、所定の横幅で間を空けて互いに離間する２つの側縁と、前記２つの側縁の同じ側にある端部を繋ぐ底縁とを有する背板エリアと、前記背板エリアの前記２つの側縁にそれぞれ接すると共に、対応の前記側縁から所定の長さで延伸して前記背板エリアから離れた端部に先端縁をそれぞれ有する２つの側壁エリアと、前記２つの側壁エリアそれぞれの前記先端縁にそれぞれ接すると共に、対応の前記先端縁から延伸する２つの前壁エリアとを有する本体ユニットと、一対の第１の対辺と、一対の第２の対辺とにより囲まれて四角形になっている底板エリアと、前記底板エリアの前記一対の第２の対辺にそれぞれ接すると共に、対応する前記第２の対辺から延伸するそれぞれの長さが、前記背板エリアが有する前記２つの側縁の長さよりも短くなっている一対の連結エリアとを有する底板ユニットと、を備え、前記２つの側壁エリアがそれぞれ前記第２の対辺が互いに成す角度に応じて折り畳まれ、前記２つの前壁エリアが互いに重なるように貼り合わされ、且つ前記底板エリアと前記一対の連結エリアがそれぞれ前記２つの側縁と前記底縁が形成する角度に応じて折り畳まれる上で前記２つの側壁エリアにそれぞれ貼り合わされることにより、前記背板エリアと前記２つの側壁エリアと前記２つの前壁エリアと前記底板エリアとにより囲まれて収容空間が画成されるように組み立てられることができる収容箱組み立てキットを提供する。
【考案の効果】
【０００６】
上記構成によれば、本考案の収容箱組み立てキットは、所定の横幅で間を空けて互いに離間する２つの側縁と、前記２つの側縁の同じ側にある端部を繋ぐ底縁とを有する背板エリアと、前記背板エリアの前記２つの側縁にそれぞれ接すると共に、対応の前記側縁から所定の長さで延伸して前記背板エリアから離れた端部に先端縁をそれぞれ有する２つの側壁エリアと、前記２つの側壁エリアそれぞれの前記先端縁にそれぞれ接すると共に、対応の前記先端縁から延伸する２つの前壁エリアとを有する本体ユニットと、一対の第１の対辺と、一対の第２の対辺とにより囲まれて四角形になっている底板エリアと、前記底板エリアの前記一対の第２の対辺にそれぞれ接すると共に、対応する前記第２の対辺から延伸するそれぞれの長さが、前記背板エリアが有する前記２つの側縁の長さよりも短くなっている一対の連結エリアとを有する底板ユニットと、からなる２つの平板状ユニットを備えているので、組立前のキット状態として重ねて輸送することができ、輸送の効率を改善した収容箱組み立てキットを提供することができる。
【図面の簡単な説明】
【０００７】
【図１】本考案の収容箱組み立てキットの第１の実施形態の構成が示されている斜視図である。
【図２】本考案の収容箱組み立てキットの第１の実施形態の組み立て方法が示されている説明図である。
【図３】本考案の収容箱組み立てキットの第１の実施形態の組み立てた状態が示されている斜視図である。
【図４】本考案の収容箱組み立てキットの第２の実施形態の組み立てた状態における前壁エリアの構造が示される一部断面図である。
【図５】本考案の収容箱組み立てキットの第３の実施形態の組み立てた状態における前壁エリアの構造が示される一部断面図である。
【考案を実施するための形態】
【０００８】
（第１の実施形態）
以下では図１〜図３を参照しながら、本考案の収容箱の組み立てキットの第１の実施形態について詳しく説明する。収容箱の組み立てキットは、本体ユニット１と、底板ユニット２とを備えている。
【０００９】
まず、図１に示されているように、本体ユニット１は、四角形の背板エリア１５と、該背板エリア１５の両側にある一対の側壁エリア１４と、一対の側壁エリア１４それぞれの背板エリア１５から離れた側にある一対の前壁エリア１６とが区画されている。
【００１０】
背板エリア１５は、所定の横幅Ｌ１で間を空けて互いに平行する２つの側縁１５１と、２つの側縁１５１の同じ側にある端部を繋ぎながら２つの側縁１５１と直交する第１の底縁１５２とを有する。
【００１１】
一対の側壁エリア１４は、背板エリア１５の２つの側縁１５１にそれぞれ接すると共に、対応の側縁１５１から所定の長さＬ２まで延伸して背板エリア１５から離れた端部に先端縁１４１と、背板エリア１５の側縁１５１と先端縁１４１とを繋ぎながらそれらと直交する第２の底縁１４２とをそれぞれ有している。また、この実施形態において、各先端縁１４１と各側縁１５１は共に第１の底縁１５２に直交すると共に、各先端縁１４１は各側縁１５１より短くなっている。
【００１２】
一対の前壁エリア１６は、２つの側壁エリア１４それぞれの先端縁１４１にそれぞれ接すると共に、対応の先端縁１４１からそれぞれの長さＬ３まで延伸し、該長さＬ３は、背板エリア１５の横幅Ｌ１と一致している。ちなみに、この実施形態において前壁エリア１６の長さＬ３は背板エリア１５の横幅Ｌ１と一致しているが、背板エリア１５の横幅Ｌ１より短く形成することも可能であり、即ち、長さＬ３を横幅Ｌ１以下に設定すればよい。また、図示のように、この実施形態における２つの前壁エリア１６における片方の表面に、接合用の剥離紙付き両面テープ１６１が配置されている。
【００１３】
なお、本体ユニット１は、表面と裏面とを有する中芯紙材１１と、中芯紙材１１の表面に積層される表面被布材１２と、中芯紙材１１の裏面に積層される裏面被布材１３と、を有するように三層構造に作成されている。具体的には、中芯紙材１１として板紙を使用し、表面被布材１２と裏面被布材１３として防水布材を使用している。
【００１４】
底板ユニット２は、底板エリア２２と、一対の連結エリア２１とが区画されている。底板エリア２２は、互いに平行する一対の第１の対辺２２１と、一対の第１の対辺２２１と９０°を成して直交する一対の第２の対辺２２２とにより囲まれて四角形になっており、且つ、一対の第１の対辺２２１の長さが背板エリア１５の横幅Ｌ１と一致し、一対の第２の対辺２２２の長さが側壁エリア１４の長さＬ２と一致するようになっている。一対の連結エリア２１は、底板エリア２２の一対の第２の対辺２２２にそれぞれ接すると共に、対応する第２の対辺２２２から延伸するそれぞれの長さＬ４が、本体ユニット１の背板エリア１５が有する２つの側縁１５１の長さよりも短くなっている。また、図示のように、この実施形態における２つの連結エリア２１には接合用の剥離紙付き両面テープ２１１が配置されている。なお、底板ユニット２は、板紙により作成されたものである。
【００１５】
上記本体ユニット１と底板ユニット２とを備えている本考案の収容箱の組み立てキットは、２つの側壁エリア１４が、それぞれ底板エリア２２の互いに平行する第２の対辺２２２に対応し、互いに平行してそれぞれ背板エリア１５と直交するように折り畳まれることができる。２つの前壁エリア１６が、それぞれ接する側壁エリア１４と直交するように折り畳まれると共に、２つの前壁エリア１６が互いに重なって、片方の前壁エリア１６の表面に設置された両面テープ１６１で貼り合わされることができる。一方、底板ユニット２では、一対の連結エリア２１と底板エリア２２がそれぞれ２つの側縁１５１と底縁１５２が形成する角度に応じ、即ち直交するように折り畳まれ、そして、各連結エリア２１に設置される両面テープ２１１により、２つの側壁エリア１４にそれぞれ貼り合わされることができる。これによって、背板エリア１５と２つの側壁エリア１４と２つの前壁エリア１６と底板エリア２２とが、互いに連結されて組み立てられることで、収容空間４を囲んで画成できる。
【００１６】
また、本考案はこの実施形態に制限されることなく、様々な変化を加えることができる。例えば、本体ユニット１の背板エリア１５は、２つの側縁１５１が互いに平行せずに離間し、第１の底縁１５２と直角以外の角度を成して繋ぐように形成することもできる。更に、各側壁エリア１４が有する第２の底縁１４２も背板エリア１５の側縁１５１及び先端縁１４１とを直交せずに繋ぐように形成することもできる。そして、各前壁エリア１６は、背板エリア１５及び各側壁エリア１４の形状に応じて互いに重なって貼り合わされて収容空間４を囲むことができるように構成すればよい。一方、底板ユニット２の底板エリア２２も、収容空間４の横断面に対応する必要はなく、各連結エリア２１がそれぞれ底板エリア２２と、各側縁１５１と底縁１５２が成す角度に応じて折り畳んで各側壁エリア１４にそれぞれ貼り合わせることが出来れば、各第１の対辺２２１と各第２の対辺２２２が互いに成す角度や、底板エリア２２の形状などを適当に形成してかまわない。
【００１７】
本考案の収容箱組み立てキットの第１の実施形態は、まずは一枚の板紙から、背板エリア１５と一対の側壁エリア１４と一対の前壁エリア１６とを有するように本体ユニット１の中芯紙材１１に該当する部分と、底板エリア２２と一対の連結エリア２１とを有する底板ユニット２を切り取って、前記中芯紙材１１に該当する部分の表面と裏面にそれぞれ表面被布材１２と裏面被布材１３を積層して三層構造の本体ユニット１に作成する。
【００１８】
続いて、図２〜図３を用いて本考案の収容箱組み立てキットの組み立て方法を説明する。
【００１９】
まず、図２に示されているように、本体ユニット１の２つの側壁エリア１４を、それぞれ背板エリア１５と直交するように折り畳んでから、２つの前壁エリア１６を、それぞれが接する側壁エリア１４と直交するように折り畳んで、２つの前壁エリア１６が互いに重なるように、片方の前壁エリア１６の表面に設置された両面テープ１６１から剥離紙を引き剥がして貼り合わせる。
【００２０】
一方、底板ユニット２側では一対の連結エリア２１をそれぞれ底板エリア２２と直交し、且つ両面テープ２１１が設置される面が互いに相反する側に向かうように折り畳んでから、各連結エリア２１の同側にある表面に設置された両面テープ２１１から剥離紙を引き剥がして貼り合わせることにより、２つの連結エリア２１それぞれの底板エリア２２から離れた端縁が２つの側壁エリア１４それぞれが有する第２の底縁１４２と接するように、２つの側壁エリア１４にそれぞれ貼り合う。このように、背板エリア１５と２つの側壁エリア１４と２つの前壁エリア１６と底板エリア２２とが、互いに連結されて組み立てることで、収容空間４を囲んで画成できる。
【００２１】
（第２の実施形態）
続いて、図４を用いて本考案の収容箱の組み立てキットの第２の実施形態について説明する。この第２の実施形態は第１の実施形態と類似する構成になっているが、本体ユニット１が有する２つの前壁エリア１６には両面テープが設置されていない代わりに、互いに結合できる面ファスナー１６２が取り付けられている。図示のように、面ファスナー１６２は、２つの前壁エリア１６にそれぞれ嵌め込まれ、且つ互いに結合できるフック部１６２Ａとループ部１６２Ｂとがそれぞれ取り付けられている。これらフック部１６２Ａとループ部１６２Ｂとが互いに結合することによって、２つの前壁エリア１６を接合することができる。また、フック部１６２Ａとループ部１６２Ｂとを引き離すことによって２つの前壁エリア１６を分離することができる。また、図示していないが、この第２の実施形態において本体ユニット１の側壁エリア１４と底板ユニット２の連結エリア２１との連結にも面ファスナーが適用されており、この構成により更に便利に組み立てて使用でき、且つ使用しない場合では素早く解体して収納することができる収容箱の組み立てキットを提供することができる。
【００２２】
（第３の実施形態）
以下では図５を参照しながら、本考案の収容箱の組み立てキットの第３の実施形態について説明する。この第３の実施形態は第１の実施形態と類似する構成になっているが、本体ユニット１が有する２つの前壁エリア１６には両面テープが設置されていない代わりに、互いに吸引し合う磁石手段１６３が取り付けられている。図示のように、磁石手段１６３は、２つの前壁エリア１６にそれぞれ嵌め込まれ、且つ互いに吸引し合うことができる第１の磁力部１６３Ａと第２の磁力部１６３Ｂとがそれぞれ取り付けられている。これら第１の磁力部１６３Ａと第２の磁力部１６３Ｂとが互いに吸引し合うことによって、２つの前壁エリア１６を接合することができる。また、第１の磁力部１６３Ａと第２の磁力部１６３Ｂとを引き離すことによって２つの前壁エリア１６を分離することができる。また、図示していないが、この第３の実施形態において本体ユニット１の側壁エリア１４と底板ユニット２の連結エリア２１との連結にも磁石手段が適用されており、この構成により更に便利に組み立てて使用でき、且つ使用しない場合では素早く解体して収納することができる収容箱の組み立てキットを提供することができる。なお、この実施形態における第１の磁力部１６３Ａと第２の磁力部１６３Ｂは、両方ともに磁石を用いる必要がなく、その片方に磁石を使用し、もう片方に該磁石と吸引し合う金属材料を用いることも可能である。
【００２３】
以上、本考案の好ましい実施形態を説明したが、本考案はこれに限定されるものではなく、その要旨を逸脱しない範囲で種々変更可能である。
【産業上の利用可能性】
【００２４】
上記構成によれば、本考案の収容箱組み立てキットは、所定の横幅で間を空けて互いに離間する２つの側縁と、前記２つの側縁の同じ側にある端部を繋ぐ底縁とを有する背板エリアと、前記背板エリアの前記２つの側縁にそれぞれ接すると共に、対応の前記側縁から所定の長さで延伸して前記背板エリアから離れた端部に先端縁をそれぞれ有する２つの側壁エリアと、前記２つの側壁エリアそれぞれの前記先端縁にそれぞれ接すると共に、対応の前記先端縁から延伸する２つの前壁エリアとを有する本体ユニットと、一対の第１の対辺と、一対の第２の対辺とにより囲まれて四角形になっている底板エリアと、前記底板エリアの前記一対の第２の対辺にそれぞれ接すると共に、対応する前記第２の対辺から延伸するそれぞれの長さが、前記背板エリアが有する前記２つの側縁の長さよりも短くなっている一対の連結エリアとを有する底板ユニットと、からなる２つの平板状ユニットを備えていることで、既に収容空間が画成された収容箱より体積が小さく、より多くの製品量を積み込んで輸送効率を改善でき、そして使用上では、少ない手数で便利に収容箱を組成して使用できる。
【符号の説明】
【００２５】
１        本体ユニット
１１      中芯紙材
１２      表面被布材
１３      裏面被布材
１４      側壁エリア
１４１    先端縁
１４２    第２の底縁
１５      背板エリア
１５１    側縁
１５２    第１の底縁
１６      前壁エリア
１６１    両面テープ
１６２    面ファスナー
１６２Ａ  フック部
１６２Ｂ  ループ部
１６３    磁石手段
１６３Ａ  第１の磁力部
１６３Ｂ  第２の磁力部
２        底板ユニット
２１      連結エリア
２１１    両面テープ
２２      底板エリア
２２１    第１の対辺
２２２    第２の対辺
４        収容空間
【図１】
0003196630.tif 000003
【図２】
0003196630.tif 000004
【図３】
0003196630.tif 000005
【図４】
0003196630.tif 000006
【図５】
0003196630.tif 000007